(57)【要約】【課題】ボウル内の封水面に従来よりも厚い層の泡を形成し、放尿時において封水面で尿が跳ね返って飛散することを抑制できる便器装置を提供する。【解決手段】便器装置は、ボウルに水を供給する給水路２と、給水路２に泡を供給する泡供給部とを備える。泡供給部は、液体収容部３２と、泡発生体４と、泡供給開口部５１とを備える。液体収容部３２は、給水路２の少なくとも一部に隣接配置され、液体を貯留可能に構成される。泡発生体４は、液体収容部３２の内部に配置されており、液体内に泡を発生させる。泡供給開口部５１は、液体収容部３２と連通部３１との隣接した部分を貫通し、液体収容部３２と連通部３１とを通じさせる。泡供給開口部５１は、泡発生体４の上方に配置される。【選択図】図３
2018053602.tif 000002
【特許請求の範囲】
【請求項１】
ボウルに水を供給する給水路と、
前記給水路に泡を供給する泡供給部と
を備え、
前記泡供給部は、
前記給水路の少なくとも一部に隣接配置され、液体を貯留可能な液体収容部と、
前記液体収容部の内部に配置され、前記液体内に泡を発生させる泡発生体と、
前記液体収容部と前記給水路との隣接した部分を貫通し、前記液体収容部と前記給水路とを通じさせる泡供給開口部と
を有し、
前記泡供給開口部は、前記泡発生体の上方に配置されている
ことを特徴とする便器装置。
【請求項２】
前記給水路に設けられた泡発生装置を備え、
前記泡発生装置は、
流入口と前記流入口に通じた流出口とを含み、前記給水路の途中に設けられて前記給水路の一部をなす連通部と、
前記連通部に隣接配置され、前記泡供給開口部を介して前記連通部に通じる前記液体収容部と
を有している
ことを特徴とする請求項１記載の便器装置。
【請求項３】
前記連通部に対応する部分の流路断面積は、前記連通部の上流の流路断面積よりも大きく形成されている
ことを特徴とする請求項２記載の便器装置。
【請求項４】
前記給水路において前記泡供給開口部よりも下流に設けられ、当該給水路の内部にエアーを供給するエアー供給部をさらに備えている
ことを特徴とする請求項１〜３のいずれか一項に記載の便器装置。
【請求項５】
前記液体収容部は、
前記液体収容部の内部に水を供給する水供給口と、
前記液体収容部に界面活性剤を供給する剤供給口と
を有している
ことを特徴とする請求項１〜４のいずれか一項に記載の便器装置。
【請求項６】
前記泡発生体が発泡石である
ことを特徴とする請求項１〜５のいずれか一項に記載の便器装置。
【発明の詳細な説明】
【技術分野】
【０００１】
本発明は、便器装置に関する。
【背景技術】
【０００２】
特許文献１には、従来の便器が開示されている。この従来の便器は、水源からボウル内に水を送るための洗浄水流路が設けられている。従来の便器は、この洗浄水流路を介してボウル内に水を供給することで、ボウル内の汚物を排水管に流すことができる。
【０００３】
この従来の便器は、洗浄水流路を流れる洗浄水に空気を混入し、この洗浄水に混入された気泡を細分化して、気泡入りの洗浄水を生成するように構成されている。この気泡入りの洗浄水によれば、通常の洗浄水よりも洗浄力を高めることができるため、ボウル内面に付着する汚物を効果的に洗浄することができる。
【先行技術文献】
【特許文献】
【０００４】
【特許文献１】特許第４４７５２７２号公報
【発明の概要】
【発明が解決しようとする課題】
【０００５】
ここで、従来の便器の気泡入りの洗浄水は、ボウルに貯留されて封水を形成するため、混入した気泡が上昇して封水の水面に泡を形成する。この水面の泡によれば、放尿した場合（特に男性の小便時）において、尿が封水面で跳ね返るのを抑制することができる。
【０００６】
しかしながら、従来の便器では、洗浄水に空気を混入した後、洗浄水に混入された気泡を細分化して泡を生成する構造を採用しており、ボウルの洗浄効果を高めることを主たる目的としている。このため、従来の便器では、ボウルの洗浄効果を高めることはできるものの、尿が封水面で跳ね返るのを抑制することについては、泡の量によって十分な効果を発揮できない場合があった。
【０００７】
本発明の目的は、ボウル内の封水面に従来よりも厚い層の泡を形成し、放尿時において封水面で尿が跳ね返って飛散することを抑制できる便器装置を提供することである。
【課題を解決するための手段】
【０００８】
本発明に係る一態様の便器装置は、ボウルに水を供給する給水路と、前記給水路に泡を供給する泡供給部とを備え、前記泡供給部は、前記給水路の少なくとも一部に隣接配置され、液体を貯留可能な液体収容部と、前記液体収容部の内部に配置され、前記液体内に泡を発生させる泡発生体と、前記液体収容部と前記給水路との隣接した部分を貫通し、前記液体収容部と前記給水路とを通じさせる泡供給開口部とを有し、前記泡供給開口部は、前記泡発生体の上方に配置されている。
【発明の効果】
【０００９】
本発明の便器装置によれば、ボウル内の封水面に従来よりも厚い層の泡を形成することができ、放尿時において封水面で尿が跳ね返って飛散するのを抑制することができる。
【図面の簡単な説明】
【００１０】
【図１】本発明に係る実施形態１の便器装置の斜視図である。
【図２】同上の縦断面図である。
【図３】同上の泡供給部の拡大断面図である。
【図４】同上のエアー供給部の拡大断面図である。
【図５】同上の制御部とその周辺のブロック図である。
【図６】本発明に係る実施形態２の便器装置の縦断面図である。
【発明を実施するための形態】
【００１１】
以下の実施形態は、便器装置に関し、特に、ボウル内に泡を供給可能な便器装置に関する。以下、本発明の一実施形態について添付図面に基づいて説明する。
【００１２】
〔実施形態１〕
実施形態１の便器装置は、便器本体１により主体が構成される。便器本体１は、図１に示すように、ボウル１１と、便器本体１の外郭を構成する外郭体１２と、便座１３と、便蓋１４とを備えている。外郭体１２は、フレーム１５に取り付けられている。また、本実施形態の便器装置は、便器本体１に内蔵された局部洗浄装置９を有している。
【００１３】
ボウル１１は、図２に示すように、椀状に形成されており、ユーザーが排出する汚物を受けることができるように構成されている。ボウル１１の内面（以下、ボウル面１１０という）は、下方ほど小径となるように傾斜している。ボウル１１の下端部には、後方に開口する筒状排水部１１１が形成されている。この筒状排水部１１１は、ボウル１１の内部に通じている。筒状排水部１１１には、排水トラップ１６が接続されている。
【００１４】
排水トラップ１６は、封水を形成することができるように構成されており、封水を形成することで、汚臭や害虫が排水管７１から室内側に侵入するのを防ぐことができる。本実施形態の排水トラップ１６は、可とう性を有するトラップ筒１６１と、トラップ筒１６１の先端部を上方と下方との間で移動させる駆動装置１６２とを備えている。トラップ筒１６１の先端部が上方に向いた状態でボウル１１内に給水されると封水が形成され、この状態からトラップ筒１６１の先端部を下方に向く状態に切り替えると、ボウル１１内に貯留された水を排水管７１に排水することができる。
【００１５】
便器装置は、図２に示すように、給水路２と、泡発生装置３と、エアー供給部６とを備えている。給水路２は、ボウル１１内に水を供給するための流路である（給水路２からボウル１１に供給される水を洗浄水という）。本実施形態の給水路２は、給水口２１から吐出口２２まで連続する流路であり、給水配管２０の内周面により主体が構成される。給水路２には電磁弁２３が設けられており、電磁弁２３によって、洗浄水の通水と止水とを切り替えることができる。給水配管２０は、流水方向の先端に吐出口２２が形成され、その反対側の端部に給水口２１が形成される。給水口２１は、給水源７に接続可能に構成されている。
【００１６】
ここで、本実施形態において、給水源７とは、トイレルーム内の便器装置に水を供給するための水源であり、例えば、地中の水道管からトイレルーム内に引き出された分岐管７０の端部の止水栓７０ａにより構成されている。止水栓７０ａは、給水口２１に接続可能に構成される。
【００１７】
吐出口２２は、ボウル面１１０に臨むように配置されている。本実施形態の吐出口２２は、ボウル１１の上縁部に沿って水を吐出可能に構成されている。吐出口２２から吐出された水は、ボウル１１の上縁部に沿って移動しながら、重力に従って流下する。なお、吐出口２２は、ボウル１１の上縁部に沿って周方向に複数箇所に設けられてもよいし、１箇所に設けられてもよい。
【００１８】
泡発生装置３は、給水路２に設けられており、給水路２に泡を流通させることができる。泡発生装置３は、図３に示すように、連通部３１と、泡供給部とを備えている。泡供給部は、液体収容部３２と、仕切り部５と、泡発生体４とを有している。
【００１９】
連通部３１は、給水路２の途中に設けられており、給水路２の一部をなす。連通部３１は、流入口３１１と、流出口３１２とを備えている。給水配管２０は、流水方向の途中で分断されており、分断された給水配管２０のうち給水口２１側の給水配管２０に流入口３１１が接続され、吐出口２２側の給水配管２０に流出口３１２が接続されている。流入口３１１と流出口３１２とは通じており、流入口３１１と流出口３１２とが対応する給水配管２０にそれぞれ接続されると、連通部３１は、給水路２の給水口２１と吐出口２２とを通じさせる。本実施形態の連通部３１は、箱状に形成されており、その流路断面積（流通方向に直角な面での流路の断面積）は、連通部３１の上流側の給水配管２０の流路断面積よりも大きく形成されている。
【００２０】
液体収容部３２は、内部に空間を有する容器状に形成されており、液体を貯留することができる。液体収容部３２と連通部３１とは、仕切り部５により区画されている。言い換えると、液体収容部３２は、連通部３１に対し隣接して配置されている。また、液体収容部３２は、連通部３１の下方に配置されている。
【００２１】
液体収容部３２には、水供給口３２１と剤供給口３２２とが設けられている。水供給口３２１は、給水路２から分岐された分岐路を構成する分岐管２４に接続されている。したがって、給水路２を水が流通すると、分岐管２４を介して液体収容部３２に水が供給される。剤供給口３２２は、図２に示すように、剤供給路を構成する剤供給管３５を介して、界面活性剤が貯留された剤タンク３７に接続されている。剤供給路には剤ポンプ３６が設けられており、液体収容部３２に対し、剤供給口３２２を介して界面活性剤を供給することができる。本実施形態の界面活性剤は、洗剤により構成されている。液体収容部３２に界面活性剤と水とを供給することで、液体収容部３２に界面活性剤水溶液を貯留することができる。これにより、泡発生体４から発生した泡を破裂しにくくすることができる。
【００２２】
泡発生体４は、液体収容部３２の内部に配置されており、液体収容部３２に界面活性剤水溶液が貯留されると、界面活性剤水溶液に浸かり、界面活性剤水溶液内に泡を発生させる。本実施形態の泡発生体４は、例えば、発泡石４０により構成されている。本実施形態の発泡石４０は、多孔質の石であり、例えば、パーライト（真珠石），軽石などが挙げられる。発泡石４０は、図３に示すように、１つの石により構成されたものであってもよいし、多数の石の集合体により構成されてもよい。
【００２３】
液体収容部３２の底壁には、空気供給口３２３が設けられており、この空気供給口３２３には空気送出部３４が接続されている。空気送出部３４は、発泡石４０の内部に空気を送ることができる。空気送出部３４は、発泡石４０の内部に空気を送ることで、発泡石４０に空気を流通させ、発泡石４０の表面から泡を発生させる。空気送出部３４は、エア配管３４１と、エア配管３４１に接続されたエアポンプ３４２（図２）とを備えており、エアポンプ３４２から送り出された空気は、エア配管３４１を介して発泡石４０の内部に吐出される。
【００２４】
仕切り部５には泡供給開口部５１が形成されている。泡供給開口部５１は、仕切り部５を貫通し、液体収容部３２と連通部３１とを通じさせる。泡供給開口部５１は、仕切り部５の中央部に形成されており、発泡石４０の上方に配置される。言い換えると、泡供給開口部５１と泡発生体４とは上方からみて（以下、平面視という場合がある）重なっている。通常時において、液体収容部３２に貯留される界面活性剤水溶液の液面高さは、仕切り部５と同じか、それよりも高く位置する（給水配管の内面の下端と同じ高さとなることが多い）。したがって、発泡石４０から発生した泡は、界面活性剤水溶液中を上昇して泡供給開口部５１を通り、連通部３１内に露出する。
【００２５】
給水路２において、泡発生装置３の下流には、エアー供給部６が接続されている。エアー供給部６は、図４に示すように、混合部６１と、エア取込部６２とを備えている。混合部６１は、給水路２に設けられている。混合部６１には、入口６１１と出口６１２とが設けられており、入口６１１から洗浄水が流入し、出口６１２から洗浄水が流出する。
【００２６】
エア取込部６２は、混合部６１に接続されている。エア取込部６２は、給水路２に空気（エアー）を供給するように構成されており、これにより、洗浄水および泡に空気を含ませることができる。エア取込部６２において、混合部６１との接続部分では、洗浄水の流通方向に対する空気の流通方向の傾斜角度αが、９０°以上（好ましくは、１３５°以上）に設定されている。エア取込部６２には、エアポンプ６３が接続されており、混合部６１に対して空気を強制的に供給することができる。
【００２７】
混合部６１に供給された空気は、混合部６１を流通する洗浄水および泡と混合して、洗浄水と共に流通する。すると、空気と混合した洗浄水および泡は、嵩が増すことで給水路２において流速が増すうえに、泡に含まれる空気の量が増える。したがって、この構成によれば、より空気量の多い泡をボウル１１内に供給することができるようになる。
【００２８】
便器装置は、図５に示すように、各種ポンプ（剤ポンプ３６・エアポンプ３４２，６３）と、電磁弁２３と、排水トラップ１６の駆動装置１６２とを制御する制御部８を備えている。制御部８は、例えば、エアポンプ３４２，６３および剤ポンプ３６を駆動することで泡を発生させたり、電磁弁２３を開放することでボウル面１１０に水を供給したりすることができる。
【００２９】
このように構成された便器装置は、例えば、次のように動作する。
【００３０】
ユーザーがトイレルームに入室し、手動またはリモコンによる指示で便座１３が開放すると、制御部８は、エアポンプ３４２を駆動し、発泡石４０の内部に空気を送り込んで、発泡石４０の表面に泡を発生させる。すると、発泡石４０の表面に発生した泡は、泡供給開口部５１を介して連通部３１内に溜まる。このとき、制御部８は、剤ポンプ３６を駆動して、一定量の洗剤を液体収容部３２に供給する。なお、洗剤の供給は、使用ごとに一定量を供給してもよいし、所定の回数ごとに一定量を供給するようにしてもよい。
【００３１】
制御部８は、エアポンプ３４２を駆動し、所定時間経過すると、電磁弁２３を開放させ、給水路２に洗浄水を流通させる。すると、洗浄水が、流入口３１１を介して連通部３１に流れ込み、堆積した泡と共に流出口３１２から流出し、これにより、大量の泡が給水路２に流通する。
【００３２】
次いで、泡を伴った洗浄水は、エアー供給部６に流入する。制御部８は、エア取込部６２のエアポンプ６３を駆動して洗浄水に空気を取り込ませる。すると、エアー供給部６に流れ込んだ大量の泡は、より多くの空気を含み、この状態で、ボウル１１内に供給される。
【００３３】
ボウル１１内に供給された大量の泡と洗浄水は、ボウル面１１０に沿って旋回しながらボウル１１の内部に貯留される。ボウル１１の内部に貯留された洗浄水は封水となり、大量の泡は封水面に堆積されて層を形成する。
【００３４】
本実施形態の便器装置は、この状態においてユーザーが小便をすることで、小便が封水面に勢いよく落下しても、厚い泡のクッション効果により、小便が封水面に跳ね返って飛散するのを抑制することができる。
【００３５】
この後、制御部８は、排水トラップ１６の駆動装置１６２を駆動し、封水を排水管７１に排水させる。排水後、一定時間経過すると、制御部８は駆動装置１６２を駆動してトラップ筒１６１の先端部を上方に向くように切り替え、この状態で、洗浄水と大量の泡をボウル１１内に供給させる。
【００３６】
ボウル１１内に貯留された泡は、界面活性剤が含まれているため、３時間程度は封水面上に存在する状態が保たれる。したがって、次回の使用までの時間が、３時間に満たない場合、ボウル１１内に泡が残存しているため、便座１３の開放と共に泡をボウル１１内に供給する制御は行わなくてもよい。
【００３７】
〔効果〕
以上、説明したように、本実施形態の便器装置は、ボウル１１に水を供給する給水路２と、給水路２に泡を供給する泡供給部とを備える。泡供給部は、液体収容部３２と、泡発生体４と、泡供給開口部５１とを有する。液体収容部３２は、給水路２の少なくとも一部に隣接配置されており、液体を貯留可能に構成される。泡発生体４は、液体収容部３２の内部に配置されており、液体内に泡を発生させる。泡供給開口部５１は、液体収容部３２と給水路２との隣接した部分を貫通し、液体収容部３２と給水路２とを通じさせる。泡供給開口部５１は、泡発生体４の上方に配置されている。
【００３８】
この構成によれば、ボウル１１内の封水面に厚い泡を形成することができる。すなわち、本実施形態の便器装置は、泡発生体４から泡が発生すると、発生した泡の大部分は、液体収容部３２に貯留された液体を上昇し、泡供給開口部５１に至る。この状態で給水路２に洗浄水が流通すると、泡は、洗浄水に乗って移動し、洗浄水と一緒にボウル１１に供給される。これにより、大量の泡を発生させた上で洗浄水と一緒に流通させることができるため、ボウル１１内に大量の泡を送ることができ、封水面に厚い層の泡を形成することができる。この結果、ボウル１１に小便をした場合に、ボウル１１内の封水面に尿が跳ね返って飛散することを抑制できる。その上、本実施形態の便器装置は、泡を洗浄水と共にボウル１１に供給するため、封水面において、泡の層を略均一の厚さにすることができる。
【００３９】
また、本実施形態の便器装置は、次の付加的な構成を有する。すなわち、本実施形態の便器装置は、給水路２に設けられた泡発生装置３を備える。泡発生装置３は、連通部３１と、液体収容部３２とを備えている。連通部３１は、流入口３１１と、流入口３１１に通じた流出口３１２とを含み、給水路２の途中に設けられて給水路２の一部をなす。液体収容部３２は、連通部３１に隣接配置されており、泡供給開口部５１を介して連通部３１に通じている。
【００４０】
この構成によれば、給水路２の途中に泡発生装置３を設置するだけで、ボウル１１に厚い泡を供給できる便器装置を構成することができる。
【００４１】
また、本実施形態の便器装置は、次の付加的な構成を有する。すなわち、本実施形態の便器装置は、連通部３１に対応する部分の流路断面積は、連通部３１の上流の流路断面積よりも大きく形成されている。
【００４２】
この構成によれば、連通部３１において泡を貯留することができるため、安定した量の泡をボウル１１に供給することができる。
【００４３】
また、本実施形態の便器装置は、次の付加的な構成を有する。すなわち、本実施形態の便器装置は、エアー供給部６を備える。エアー供給部６は、給水路２において泡供給開口部５１よりも下流に設けられており、当該給水路２の内部に空気を供給する。
【００４４】
この構成によれば、洗浄水と一緒に移動する泡に、さらなる空気を含ませることができる。これにより、より厚い泡を封水面に形成することができる。
【００４５】
また、本実施形態の便器装置は、次の付加的な構成を有する。すなわち、本実施形態の液体収容部３２は、液体収容部３２に水を供給する水供給口３２１と、液体収容部３２に界面活性剤を供給する剤供給口３２２とを有している。
【００４６】
この構成によれば、ボウル１１内に形成された封水面上の泡を長時間にわたって維持できる上に、ボウル面１１０において封水の喫水線上に生じる汚れが付着するのを抑制できる。
【００４７】
また、本実施形態の便器装置は、次の付加的な構成を有する。すなわち、本実施形態の便器装置は、泡発生体４が発泡石４０である。
【００４８】
この構成によれば、簡易な構成で大量の泡を形成することができる。
【００４９】
〔実施形態２〕
次に、実施形態２について図６に基づいて説明する。なお、実施形態２は実施形態１と大部分において同じであるため、同じ部分においては同符号を付して説明を省略し、主に異なる部分について説明する。
【００５０】
本実施形態の便器装置は、エアー供給部６が設けられていない点で実施形態１の便器装置とは異なっている。その他の構成は、実施形態１と同様である。
【００５１】
泡発生装置３を流出した洗浄水は、大量の泡と一緒に吐出口２２から吐出される。したがって、この構成にあっても、ボウル１１内の封水面に厚い泡を形成することができるうえに、泡を略均一に堆積させることができる。この結果、ボウル１１に小便をした場合に、ボウル１１内の封水面に尿が跳ね返って飛散することを抑制できる。
【００５２】
〔応用〕
上記実施形態において、液体収容部３２の上方に配置された連通部３１は、流入口３１１および流出口３１２についても、液体収容部３２の上方に配置されたが、例えば、流入口３１１および流出口３１２は液体収容部３２の上方に位置していなくてもよい。すなわち、連通部３１は、泡供給開口部５１を含む少なくとも一部が液体収容部３２の上方に位置していればよい。また、連通部３１と液体収容部３２とは、泡供給開口部５１を含む少なくとも一部が隣接配置されていればよく、例えば、流入口３１１および流出口３１２は液体収容部３２から離れていてもよい。
【００５３】
上記実施形態において連通部３１は、流通方向が水平に形成されていたが、流通方向は、水平面に対して傾斜していてもよい。
【００５４】
上記実施形態において泡発生装置３は、連通部３１と、泡供給部とを備えていたが、連通部３１を設けず、泡供給部のみで構成されてもよい。つまり、給水配管２０に泡供給部を取り付け、給水配管２０の側壁の一部を貫通するように泡供給開口部５１を設けてもよい。
【００５５】
上記実施形態において、泡供給開口部５１は、泡発生体４の直上に配置されていたが、泡供給開口部５１と泡発生体４とは、平面視においてずれていてもよい。例えば、平面視において、泡供給開口部５１と泡発生体４とが、一部のみ重なる場合でもよい。したがって、泡供給開口部５１は、泡発生体４から発生する泡が入り込む範囲にあれば、「泡発生体４の上方に配置されている」範疇であるとする。
【００５６】
仕切り部５には、泡を泡供給開口部５１に集めるガイド部が設けられてもよい。ガイド部は、例えば、泡供給開口部５１の周囲に、泡供給開口部５１に向かうほど上方に位置するように傾斜した傾斜面により構成される。これにより、より効果的に、多くの泡をボウル１１内に供給することができる。
【００５７】
泡発生体４は、発泡石４０により構成されたが、石以外の多孔質体により構成されてもよい。また、上記実施形態においては、泡発生体４に対し、空気を送り込んで泡を発生させる構成であったが、泡発生体４は、液体収容部３２内に貯留された液体と反応して泡が発生するものであってもよい。
【００５８】
上記実施形態では、給水配管２０を分断して、給水路２の途中に泡発生装置３を設けたが、給水路２にバイパス流路を設けて、給水路２として主流路と副流路とに分岐し、副流路の途中に連通部３１を設けてもよい。この場合、副流路における連通部３１の下流側端部は、主流路に合流させる。
【００５９】
上記実施形態では、便座１３の開放に連動して泡をボウル１１に供給したが、便蓋１４の開放時に泡を供給するように制御してもよい。すなわち、上記実施形態では、男性小用時の跳ね返りを対象とするものであったが、女性小用に対しても適用可能である。また、便座１３または便蓋１４の開放に連動させず、リモコンに泡発生用のスイッチを設け、当該スイッチにより泡をボウル１１内に供給するように構成してもよい。
【００６０】
上記実施形態の便器装置は、洋式便器に適用した例であったが、和式便器に適用してもよいし、男性小用専用の便器に適用してもよい。また、上記実施形態の便器装置は、いわゆるロータンクが設けられていないが、ロータンクが設けられた便器装置であってもよい。
【００６１】
その他、上記実施形態の構成は、本発明の主旨を逸脱しない範囲であれば、適宜設計変更を行うことができる。
【符号の説明】
【００６２】
１１    ボウル
２      給水路
３      泡発生装置
３１    連通部
３１１  流入口
３１２  流出口
３２    液体収容部
３２１  水供給口
３２２  剤供給口
４      泡発生体
４０    発泡石
５１    泡供給開口部
６      エアー供給部
【図１】
2018053602.tif 000003
【図２】
2018053602.tif 000004
【図３】
2018053602.tif 000005
【図４】
2018053602.tif 000006
【図５】
2018053602.tif 000007
【図６】
2018053602.tif 000008